【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
信号側の給電端子とアース側の給電端子を有する給電点を備え、電波を受信するループアンテナを有するアンテナであって、
前記ループアンテナのアンテナエレメントが、車両の誘電体で構成された部材上で、且つ該車両の車体を構成する導体部分の近傍に配置され、
前記アース側の給電端子が、前記ループアンテナで受信した電波が導かれる受信機に接続されることを特徴とするアンテナ。
【請求項２】
前記アンテナエレメントの前記導体部分に沿った方向の長さが、前記導体部分に垂直な方向の長さよりも長く形成されていることを特徴とする請求項１に記載のアンテナ。
【請求項３】
前記ループアンテナの内側、又は外側に、前記ループアンテナの給電点と前記ループアンテナの略中心とを結ぶ線に対して垂直な無給電素子が配置されることを特徴とする請求項１又は２に記載のアンテナ。
【請求項４】
前記アンテナエレメントが、表面又は内部に形成される誘電体シートを備えることを特徴とする請求項１から３の何れか１項に記載のアンテナ。
【請求項５】
前記誘電体シートが、透明なシート状のフィルムであることを特徴とする請求項４に記載のアンテナ。
【請求項６】
前記給電点に接続される給電回路又は増幅器を備え、
前記給電回路又は増幅器の信号の入出力側に前記信号側の給電端子が接続され、前記給電回路又は増幅器の信号の入出力側に前記アース側の給電端子が接続されることを特徴とする請求項１から５の何れか１項に記載のアンテナ。
【請求項７】
前記給電点と前記給電回路又は増幅器との間に配置される平衡−不平衡変換回路を備えることを特徴とする請求項６に記載のアンテナ。
【請求項８】
前記誘電体シートに形成される他のモノポールアンテナを備えることを特徴とする請求項４から７の何れか１項に記載のアンテナ。
【請求項９】
信号側の給電端子とアース側の給電端子を有する給電点を備え、少なくとも電波を受信するループアンテナを有するアンテナと、
前記ループアンテナに接続されるケーブルと、
前記ケーブルを介して、前記ループアンテナで受信した電波が導かれる受信機とを備え、
前記ループアンテナのアンテナエレメントが、車両の誘電体で構成された部材上で、且つ該車両の車体を構成する導体部分の近傍に、前記アンテナエレメントの給電点が前記導体部分に近接して配置され、
前記アース側の給電端子が、前記ケーブルを介して前記ループアンテナで受信した電波が導かれる受信機に接続されることを特徴とするアンテナシステム。
【請求項１０】
信号側の給電端子とアース側の給電端子を有する給電点を備え、少なくとも電波を受信するループアンテナを有するアンテナであって、
前記アース側の給電端子が、前記ループアンテナで受信した電波が導かれる受信機に接続されることを特徴とするアンテナ。
【請求項１１】
信号側の給電端子とアース側の給電端子を有する給電点を備え、少なくとも電波を受信するループアンテナを有するアンテナと、
前記ループアンテナに接続されるケーブルと、
前記ケーブルを介して、前記ループアンテナで受信した電波が導かれる受信機とを備え、
前記アース側の給電端子が、前記ケーブルを介して前記受信機に接続されることを特徴とするアンテナシステム。
【手続補正２】
【補正対象書類名】明細書
【補正対象項目名】発明の名称
【補正方法】変更
【補正の内容】
【発明の名称】アンテナ及びアンテナシステム
【手続補正３】
【補正対象書類名】明細書
【補正対象項目名】０００１
【補正方法】変更
【補正の内容】
【０００１】
本発明はアンテナ及びアンテナシステムに関し、特に、自動車等の移動体の透明な窓ガラス等に貼り付けて使用され、超短波（ＶＨＦ）、及び極超短波（ＵＨＦ）の電波を使用して送信されているテレビ電波を送受信可能なアンテナ及びアンテナシステムに関する。
【手続補正４】
【補正対象書類名】明細書
【補正対象項目名】００１８
【補正方法】変更
【補正の内容】
【００１８】
そこで、本発明は、構成が簡単であり、複雑なアース確保が不要で、且つ見栄えが良く、小型、高性能の、自動車等の車両で使用するアンテナ及びアンテナシステムを提供することを目的としている。
【手続補正５】
【補正対象書類名】明細書
【補正対象項目名】００１９
【補正方法】変更
【補正の内容】
【００１９】
前記目的を達成する本発明のアンテナは、信号側の給電端子とアース側の給電端子を有する給電点を備え、電波を受信するループアンテナを有するアンテナであって、ループアンテナのアンテナエレメントが、車両の誘電体で構成された部材上で、且つ該車両の車体を構成する導体部分の近傍に配置され、アース側の給電端子が、ループアンテナで受信した電波が導かれる受信機に接続されることを特徴とするものである。
【手続補正６】
【補正対象書類名】明細書
【補正対象項目名】００２０
【補正方法】変更
【補正の内容】
【００２０】
前記目的を達成する本発明のアンテナシステムは、信号側の給電端子とアース側の給電端子を有する給電点を備え、少なくとも電波を受信するループアンテナを有するアンテナと、ループアンテナに接続されるケーブルと、ケーブルを介して、ループアンテナで受信した電波が導かれる受信機とを備え、ループアンテナのアンテナエレメントが、車両の誘電体で構成された部材上で、且つ該車両の車体を構成する導体部分の近傍に、アンテナエレメントの給電点が導体部分に近接して配置され、アース側の給電端子が、ケーブルを介してループアンテナで受信した電波が導かれる受信機に接続されることを特徴とするものである。
【手続補正７】
【補正対象書類名】明細書
【補正対象項目名】００２１
【補正方法】変更
【補正の内容】
【００２１】
また、前記目的を達成する本発明のアンテナは、信号側の給電端子とアース側の給電端子を有する給電点を備え、少なくとも電波を受信するループアンテナを有するアンテナであって、アース側の給電端子が、ループアンテナで受信した電波が導かれる受信機に接続されるように構成することができる。
【手続補正８】
【補正対象書類名】明細書
【補正対象項目名】００２２
【補正方法】変更
【補正の内容】
【００２２】
更に、前記目的を達成する本発明のアンテナシステムは、信号側の給電端子とアース側の給電端子を有する給電点を備え、少なくとも電波を受信するループアンテナを有するアンテナと、ループアンテナに接続されるケーブルと、ケーブルを介して、ループアンテナで受信した電波が導かれる受信機とを備え、アース側の給電端子が、ケーブルを介して受信機に接続されるように構成することができる。
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】変更
【補正の内容】
【００３５】
本発明のアンテナによれば、アース確保が不要であり、且つ小型、高性能のテレビ電波用アンテナを提供することができる。
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】変更
【補正の内容】
【００３７】
また、本発明のアンテナは、車載用のテレビアンテナとして使用できるほか、カーナビゲーション装置のテレビ放送、ＦＭ多重放送（ＶＩＣＳ）の受信用アンテナとして有効に利用することができる。